【手続補正書】
【提出日】平成26年8月27日(2014.8.27)
【手続補正１】
【補正対象書類名】特許請求の範囲
【補正対象項目名】全文
【補正方法】変更
【補正の内容】
【特許請求の範囲】
【請求項１】
測定対象から伝播した弾性波が受信機により受信されて得られた圧力信号の初期値を取得する信号初期化手段と、
前記受信機のインパルス応答の初期値を取得するインパルス応答初期化手段と、
前記圧力信号の初期値および前記インパルス応答の初期値に基づいて修正圧力信号を出力する出力手段と、
を有する情報処理装置であって、
前記出力手段は、
インパルス応答を用いて圧力信号を修正する信号修正手段と、
高コントラスト性、正値性、および周波数帯域特性のうち少なくとも１つを拘束条件として圧力信号を修正する信号拘束手段と、
圧力信号を用いてインパルス応答を修正するインパルス応答修正手段と、
インパルス応答の時間帯域特性を拘束条件としてインパルス応答を修正するインパルス応答拘束手段とを有し、
前記信号修正手段、前記信号拘束手段、前記インパルス応答修正手段および前記インパルス応答拘束手段の処理を、所定の条件に従って反復して実行することにより、前記修正圧力信号を生成する
ことを特徴とする情報処理装置。
【請求項２】
前記インパルス応答初期化手段は、前記受信機のインパルス応答の実測または近似値の推算により、前記インパルス応答の初期値を取得する
ことを特徴とする請求項１に記載の情報処理装置。
【請求項３】
ｘｋはｋ回目の反復における圧力信号の推定値、γは緩和係数、ｈはインパルス応答、ｙは実際に測定された圧力信号、＊は複素共役、積記号は畳みこみ積であるとしたときに、前記信号修正手段は、式（１）により圧力信号を修正する
ことを特徴とする請求項１または２に記載の情報処理装置。
【数１】
2013053863.tif 000001
【請求項４】
前記式（１）における緩和係数は、０より大きく２より小さい実数を前記インパルス応答のパワースペクトルの最大値で除したものを用いる
ことを特徴とする請求項３に記載の情報処理装置。
【請求項５】
ｈｋはｋ回目の反復におけるインパルス応答、γは緩和係数、ｘは圧力信号、ｙは実際に測定された圧力信号、＊は複素共役、積記号は畳みこみ積であるとしたときに、
前記インパルス応答修正手段は、式（２）によりインパルス応答を修正する
ことを特徴とする請求項１ないし４のいずれか１項に記載の情報処理装置。
【数２】
2013053863.tif 000002
【請求項６】
前記式（２）における緩和係数は、０より大きく２より小さい実数を、前記式（２）における圧力信号のパワースペクトルの最大値で除したものを用いる
ことを特徴とする請求項５に記載の情報処理装置。
【請求項７】
前記信号拘束手段は、前記高コントラスト性に対応する基線除去、前記正値性に対応する負値除去、前記周波数帯域特性に対応する高周波成分除去の順に圧力信号の修正を行うことを特徴とする請求項１ないし６のいずれか１項に記載の情報処理装置。
【請求項８】
前記信号拘束手段は、圧力信号の平均値、中央値および低周波成分のいずれかに所定の係数を乗じたのち当該圧力信号から減ずることにより、前記基線除去を行う
ことを特徴とする請求項７に記載の情報処理装置。
【請求項９】
前記基線除去における前記所定の係数は、０以上の実数である
ことを特徴とする請求項８に記載の情報処理装置。
【請求項１０】
前記信号拘束手段は、所定のカットオフ周波数を持つローパスフィルタにより、前記高周波成分除去を行う
ことを特徴とする請求項７ないし９のいずれか１項に記載の情報処理装置。
【請求項１１】
前記高周波成分除去における前記所定のカットオフ周波数は、前記受信機の帯域中心の周波数の１倍以上１０倍以下の値である
ことを特徴とする請求項１０に記載の情報処理装置。
【請求項１２】
前記インパルス応答拘束手段は、所定のカットオフ時間を持つ減衰関数をインパルス応答に乗じることにより、当該インパルス応答を修正する
ことを特徴とする請求項１ないし１１のいずれか１項に記載の情報処理装置。
【請求項１３】
前記インパルス応答拘束手段における前記所定のカットオフ時間は、前記受信機の帯域中心の周波数と、前記受信機の帯域幅を表すＱ値とから算出される
ことを特徴とする請求項１２に記載の情報処理装置。
【請求項１４】
前記出力手段は、
前記信号修正手段、前記信号拘束手段の順に圧力信号の修正を繰り返す第一のループ処理と、
前記インパルス応答修正手段、前記インパルス応答拘束手段の順にインパルス応答の修正を繰り返す第二のループ処理と、
前記第一のループ処理および前記第二のループ処理を繰り返す第三のループ処理の、回数及び順番を制御する
ことを特徴とする請求項１ないし１３のいずれか１項に記載の情報処理装置。
【請求項１５】
前記出力手段は、前記第一のループ処理、前記第二のループ処理および前記第三のループ処理を、それぞれ所定の回数だけ実行する
ことを特徴とする請求項１４に記載の情報処理装置。
【請求項１６】
前記出力手段は、前記第一のループ処理における圧力信号の修正量が所定の基準値を下回るまで前記第一のループ処理を実行する
ことを特徴とする請求項１４に記載の情報処理装置。
【請求項１７】
前記出力手段は、前記第二のループ処理におけるインパルス応答の修正量が所定の基準値を下回るまで前記第二のループ処理を実行する
ことを特徴とする請求項１４に記載の情報処理装置。
【請求項１８】
請求項１ないし１７のいずれか１項に記載の情報処理装置と、
当該情報処理装置によって修正された圧力信号を用いて、バックプロジェクション法、
ｋ−ｓｐａｃｅ法、最小二乗法、制約付き最小二乗法および非線形最適化法のいずれかの手法により前記測定対象内部の画像データを作成する作成手段と、
を有することを特徴とする光音響装置。
【請求項１９】
測定対象から伝播した弾性波が受信機により受信されて得られた圧力信号の初期値を取得する信号初期化ステップと、
前記受信機のインパルス応答の初期値を取得するインパルス応答初期化ステップと、
前記圧力信号の初期値および前記インパルス応答の初期値に基づいて修正圧力信号を出力するステップと、
を有する情報処理方法であって、
前記出力するステップでは、
インパルス応答を用いて圧力信号を修正する信号修正ステップと、
高コントラスト性、正値性、および周波数帯域特性のうち少なくとも１つを拘束条件として圧力信号を修正する信号拘束ステップと、
圧力信号を用いてインパルス応答を修正するインパルス応答修正ステップと、
インパルス応答の時間帯域特性を拘束条件としてインパルス応答を修正するインパルス応答拘束ステップとが、所定の条件に従って反復して実行されることにより、前記修正圧力信号が生成される
ことを特徴とする情報処理方法。
【請求項２０】
請求項１９に記載の情報処理方法の各ステップを情報処理装置に実行させるプログラム。
【手続補正２】
【補正対象書類名】明細書
【補正対象項目名】発明の名称
【補正方法】変更
【補正の内容】
【発明の名称】情報処理装置および情報処理方法
【手続補正３】
【補正対象書類名】明細書
【補正対象項目名】０００１
【補正方法】変更
【補正の内容】
【０００１】
本発明は、情報処理装置および情報処理方法に関する。
【手続補正４】
【補正対象書類名】明細書
【補正対象項目名】０００８
【補正方法】変更
【補正の内容】
【０００８】
上記目的を解決するために、本発明は以下の構成を採用する。すなわち、測定対象から伝播した弾性波が受信機により受信されて得られた圧力信号の初期値を取得する信号初期化手段と、前記受信機のインパルス応答の初期値を取得するインパルス応答初期化手段と、前記圧力信号の初期値および前記インパルス応答の初期値に基づいて修正圧力信号を出力する出力手段と、を有する情報処理装置であって、前記出力手段は、インパルス応答を用いて圧力信号を修正する信号修正手段と、高コントラスト性、正値性、および周波数帯域特性のうち少なくとも１つを拘束条件として圧力信号を修正する信号拘束手段と、圧力信号を用いてインパルス応答を修正するインパルス応答修正手段と、インパルス応答の時間帯域特性を拘束条件としてインパルス応答を修正するインパルス応答拘束手段とを有し、前記信号修正手段、前記信号拘束手段、前記インパルス応答修正手段および前記インパルス応答拘束手段の処理を、所定の条件に従って反復して実行することにより、前記修正圧力信号を生成することを特徴とする情報処理装置である。
【手続補正５】
【補正対象書類名】明細書
【補正対象項目名】０００９
【補正方法】変更
【補正の内容】
【０００９】
本発明はまた、以下の構成を採用する。すなわち、測定対象から伝播した弾性波が受信機により受信されて得られた圧力信号の初期値を取得する信号初期化ステップと、前記受信機のインパルス応答の初期値を取得するインパルス応答初期化ステップと、前記圧力信号の初期値および前記インパルス応答の初期値に基づいて修正圧力信号を出力するステップと、を有する情報処理方法であって、前記出力するステップでは、インパルス応答を用いて圧力信号を修正する信号修正ステップと、高コントラスト性、正値性、および周波数帯域特性のうち少なくとも１つを拘束条件として圧力信号を修正する信号拘束ステップと、圧力信号を用いてインパルス応答を修正するインパルス応答修正ステップと、インパルス応答の時間帯域特性を拘束条件としてインパルス応答を修正するインパルス応答拘束ステップとが、所定の条件に従って反復して実行されることにより、前記修正圧力信号が生成されることを特徴とする情報処理方法である。
【手続補正６】
【補正対象書類名】明細書
【補正対象項目名】００１０
【補正方法】削除
【補正の内容】